(57)【要約】【課題】錦糸線と振動系部材との接触を防止することが可能なコネクタ端子と錦糸線の接続構造を有するスピーカー装置を提供する。【解決手段】スピーカー装置は、錦糸線と支持体を有し、支持体は、その中心軸からコネクタ端子に向かう方向と異なる方向に設けられ、錦糸線を中継する第１の中継部と、第１の中継部とコネクタ端子の間に且つ振動板と逆側に設けられ、錦糸線を中継する第２の中継部と、を有する。ボイスコイル側から導出された錦糸線は、第１及び第２の中継部を通じて振動板と逆側へ導出され、更にコネクタ端子へ導出されている。これにより、ボイスコイル側からの錦糸線の引き出し方向と、コネクタ端子の方向とが異なる場合でも、振動板側等へ撓まない程度の一定の張力を保ちつつ、錦糸線を、第１及び第２の中継部を通じてコネクタ端子側へ案内することが可能となる。よって、スピーカー装置の駆動時に錦糸線と振動板等との接触を回避でき、異常音の発生を防止できる。【選択図】図５
2008042366.tif 000002
【特許請求の範囲】
【請求項１】
振動板及び錦糸線と、
前記錦糸線の一端側と電気的に接続されたボイスコイルと、
前記錦糸線の他端側と電気的に接続されたコネクタ端子を有し、前記振動板を支持する支持体と、を備え、
前記支持体は、
前記支持体の中心を通る中心軸を基準としたときに、当該中心軸から前記コネクタ端子に向かう方向と異なる方向に設けられ、前記錦糸線を中継する第１の中継部と、
前記第１の中継部と前記コネクタ端子との間に且つ前記振動板と逆側の位置に設けられ、前記錦糸線を中継する第２の中継部と、を有し、
前記ボイスコイル側から導出された前記錦糸線は、前記第１の中継部により中継されて前記振動板と逆側の位置に且つ前記第２の中継部側へ導出され、さらに前記第２の中継部により中継されて前記コネクタ端子側へ導出されてなることを特徴とするスピーカー装置。
【請求項２】
前記支持体は、前記振動板を取り囲む位置に設けられた外周部と、前記外周部の内側に設けられた内周部と、前記外周部と前記内周部とを連結するアーム部と、を有し、
前記コネクタ端子は前記外周部に設けられ、
前記第１の中継部は前記内周部に設けられていると共に、前記第２の中継部は前記アーム部に設けられていることを特徴とする請求項１に記載のスピーカー装置。
【請求項３】
前記錦糸線は一対の錦糸線により構成され、
前記支持体の前記中心軸から前記コネクタ端子に向かう方向には、前記第１の中継部側から導出された前記一対の錦糸線を前記コネクタ端子側へ導出する前記アーム部が設けられ、
当該アーム部は、前記一対の錦糸線のうち一方の前記錦糸線と、他方の前記錦糸線とを隔離する凸状の錦糸線短絡防止用リブを有することを特徴とする請求項２に記載のスピーカー装置。
【請求項４】
前記第２の中継部は、前記錦糸線を挟持する挟持部と、一定量の接着剤を保持する凹状の接着剤保持部と、を有する錦糸線固定用リブであり、
前記第２の中継部に位置する前記錦糸線は、前記挟持部により挟持され、前記接着剤保持部内に保持された前記接着剤により固定されていることを特徴とする請求項１又は２に記載のスピーカー装置。
【請求項５】
前記錦糸線は、一定の張力を以って前記ボイスコイル側から前記第１の中継部及び前記第２の中継部を介して前記コネクタ端子側へ導出されていることを特徴とする請求項１に記載のスピーカー装置。
【請求項６】
前記支持体は樹脂材料により形成されていることを特徴とする請求項１に記載のスピーカー装置。
【発明の詳細な説明】
【技術分野】
【０００１】
本発明は、スピーカー装置におけるコネクタ端子と錦糸線の接続構造に関する。
【背景技術】
【０００２】
従来より、アンプ側の出力配線及び錦糸線に電気的に接続されるコネクタ端子と、ボイスコイルとコネクタ端子の間に設けられ、錦糸線を中継する中継端子と、を有するスピーカー装置が知られている。
【０００３】
このようなスピーカー装置では、平面視したときに、その中心軸とコネクタ端子とを結ぶ仮想直線上に中継端子が位置している。つまり、コネクタ端子と中継端子とは、当該中心軸を基準としたときに同一の方向に位置している。そして、錦糸線の一端側はボイスコイルのリード線に接続され、また錦糸線の一部が中継端子に接続され、さらに錦糸線の他端側はコネクタ端子に接続された接続構造を有する。このような接続構造を有するスピーカー装置の一例が特許文献１乃至３に記載されている。
【０００４】
なお、ボイスコイルの錦糸線の中間部をダンパーの最外周コルゲーション部に結合することにより、中継端子を必要とせずに、コイル部とコネクターとを電気的に接続することが可能なスピーカー装置が提案されている（例えば、特許文献４を参照）。
【０００５】
【特許文献１】特開２００５−１５０９００号公報
【特許文献２】特開２０００−３２４５９６号公報
【特許文献３】国際公開第Ｗ０２００２／０３０１５２号公報
【特許文献４】特開２００１−２１１５００号公報
【発明の開示】
【発明が解決しようとする課題】
【０００６】
しかしながら、上記の特許文献１乃至４に記載の接続構造を有するスピーカー装置では、中継端子（又はダンパーの最外周コルゲーション部）とボイスコイルの間に位置する錦糸線の部分が移動可能な状態となっているので、スピーカー装置の駆動時に、当該錦糸線の部分と振動板及び／又はダンパーとが接触して異常音を発生してしまう虞がある。
【０００７】
本発明が解決しようとする課題としては、上記のようなものが例として挙げられる。本発明は、錦糸線と振動系部材との接触を防止することが可能なコネクタ端子と錦糸線の接続構造を有するスピーカー装置を提供することを課題とする。
【課題を解決するための手段】
【０００８】
請求項１に記載の発明は、スピーカー装置であって、振動板及び錦糸線と、前記錦糸線の一端側と電気的に接続されたボイスコイルと、前記錦糸線の他端側と電気的に接続されたコネクタ端子を有し、前記振動板を支持する支持体と、を備え、前記支持体は、前記支持体の中心を通る中心軸を基準としたときに、当該中心軸から前記コネクタ端子に向かう方向と異なる方向に設けられ、前記錦糸線を中継する第１の中継部と、前記第１の中継部と前記コネクタ端子との間に且つ前記振動板と逆側の位置に設けられ、前記錦糸線を中継する第２の中継部と、を有し、前記ボイスコイル側から導出された前記錦糸線は、前記第１の中継部により中継されて前記振動板と逆側の位置に且つ前記第２の中継部側へ導出され、さらに前記第２の中継部により中継されて前記コネクタ端子側へ導出されてなることを特徴とする。
【発明を実施するための最良の形態】
【０００９】
本発明の１つの実施形態では、スピーカー装置は、振動板及び錦糸線と、前記錦糸線の一端側と電気的に接続されたボイスコイルと、前記錦糸線の他端側と電気的に接続されたコネクタ端子を有し、前記振動板を支持する支持体と、を備え、前記支持体は、前記支持体の中心を通る中心軸を基準としたときに、当該中心軸から前記コネクタ端子に向かう方向と異なる方向に設けられ、前記錦糸線を中継する第１の中継部と、前記第１の中継部と前記コネクタ端子との間に且つ前記振動板と逆側の位置に設けられ、前記錦糸線を中継する第２の中継部と、を有し、前記ボイスコイル側から導出された前記錦糸線は、前記第１の中継部により中継されて前記振動板と逆側の位置に且つ前記第２の中継部側へ導出され、さらに前記第２の中継部により中継されて前記コネクタ端子側へ導出されてなる。
【００１０】
上記のスピーカー装置は、振動板及び錦糸線と、錦糸線の一端側と電気的に接続されたボイスコイルと、錦糸線の他端側と電気的に接続されたコネクタ端子を有し、振動板を支持する支持体と、を備えている。そして、支持体は、前記支持体の中心を通る中心軸を基準としたときに、当該中心軸からコネクタ端子に向かう方向と異なる方向に設けられ、錦糸線を中継する第１の中継部と、第１の中継部とコネクタ端子との間に且つ振動板と逆側の位置に設けられ、錦糸線を中継する第２の中継部と、を有する。また、ボイスコイル側から導出された錦糸線は、第１の中継部により中継されて振動板と逆側の位置に且つ第２の中継部側へ導出され、さらに第２の中継部により中継されてコネクタ端子側へ導出されてなる。好適な例では、前記錦糸線は、一定の張力を以って前記ボイスコイル側から前記第１の中継部及び前記第２の中継部を介して前記コネクタ端子側へ導出されている。
【００１１】
これにより、ボイスコイル側から導出された錦糸線の引き出し方向と、コネクタ端子の方向とが異なる場合においても、振動板側へ必要以上に撓まない程度の一定の張力を保ちつつ、錦糸線を、第１の中継部及び第２の中継部を通じてコネクタ端子側へ案内することが可能となる。よって、スピーカー装置の駆動時に、錦糸線と、振動板等の振動系部材とが接触するのを回避でき、異常音が発生するのを防止できる。また、一般的に、錦糸線は配線（コード）と比較して安価なので、上記の構成によれば、コネクタ端子と、ボイスコイル又は錦糸線とを配線（コード）を用いて接続する構成に比べて、その分、スピーカー装置のコスト削減を図ることができる。
【００１２】
好適な例では、前記支持体は楕円状の平面形状を有し、第１の中継部は、前記支持体において、前記中心軸を基準としたときに当該支持体の短径方向に設けられているのが好ましい。これにより、ボイスコイル側からの錦糸線の引き出し方向を支持体の短径方向にすることができる。これにより、錦糸線と振動板との距離を離すことができる。そのため、スピーカー装置の駆動時に、より一層、錦糸線と振動板が接触するのを回避でき、異常音が発生するのを防止できる。
【００１３】
また、好適な例では、前記支持体は、前記振動板を取り囲む位置に設けられた外周部と、前記外周部の内側に設けられた内周部と、前記外周部と前記内周部とを連結するアーム部と、を有し、前記コネクタ端子は前記外周部に設けられ、前記第１の中継部は前記内周部に設けられていると共に、前記第２の中継部は前記アーム部に設けられているのが好ましい。
【００１４】
上記のスピーカー装置の一つの態様では、前記錦糸線は一対の錦糸線により構成され、前記支持体の前記中心軸から前記コネクタ端子に向かう方向には、前記第１の中継部側から導出された前記一対の錦糸線を前記コネクタ端子側へ導出する前記アーム部が設けられ、当該アーム部は、前記一対の錦糸線のうち一方の前記錦糸線と、他方の前記錦糸線とを隔離する凸状の錦糸線短絡防止用リブを有する。
【００１５】
この態様では、錦糸線は一対のプラス及びマイナスの錦糸線により構成され、支持体の中心軸からコネクタ端子に向かう方向には、第１の中継部側から導出された一対のプラス及びマイナスの錦糸線をコネクタ端子側へ導出するアーム部が設けられている。ここで、一対のプラス及びマイナスの錦糸線の各他端側はコネクタ端子に接続されるため、アーム部に引き回された一対のプラス及びマイナスの錦糸線同士の間隔は近くなる。この点、この態様では、当該アーム部は、一対のプラス及びマイナスの錦糸線のうち、一方のプラスの錦糸線と、他方のマイナスの錦糸線とを隔離する凸状の錦糸線短絡防止用リブを有するので、一方のプラスの錦糸線と、他方のマイナスの錦糸線とが錦糸線短絡防止用リブにより絶縁され短絡するのを防止できる。
【００１６】
上記のスピーカー装置の他の態様では、前記第２の中継部は、前記錦糸線を挟持する挟持部と、一定量の接着剤を保持する凹状の接着剤保持部と、を有する錦糸線固定用リブであり、前記第２の中継部に位置する前記錦糸線は、前記挟持部により挟持され、前記接着剤保持部内に保持された前記接着剤により固定されている。
【００１７】
この態様では、第２の中継部は、錦糸線を挟持する挟持部と、一定量の接着剤を保持する凹状の接着剤保持部と、を有する錦糸線固定用リブである。そして、錦糸線固定用リブたる第２の中継部に位置する錦糸線は、挟持部により挟持され、接着剤保持部内に保持された接着剤により固定（補強）されている。つまり、第２の中継部に位置する錦糸線は、錦糸線固定用リブたる第２の中継部において、狭持部と、接着剤保持部内に保持された一定量の接着剤とにより重畳的に固定されている。そのため、スピーカー装置の駆動時等に、特に振動板側への、錦糸線の移動を規制することができる。
【００１８】
上記のスピーカー装置の他の態様では、支持体は樹脂材料により形成されているのが好ましい。これにより、支持体の形成の自由度を向上させることができる。
【実施例】
【００１９】
以下、図面を参照して本発明の好適な実施例について説明する。
【００２０】
［スピーカー装置の構成］
図１は、本発明の実施例に係る、コネクタ端子と錦糸線の接続構造を有するスピーカー装置１００を、その中心軸Ｌ１を通る平面で切断したときの断面図を示す。
【００２１】
スピーカー装置１００は、図１に示すように、磁気回路３０と、振動系部材３１と、を備えている。なお、本発明では、スピーカー装置の構成及び駆動方式等は以下に述べるものに限定されるものではない。
【００２２】
まず、磁気回路３０の構成は次の通りである。
【００２３】
本磁気回路３０は、ヨーク１、マグネット２及びプレート３を有している。
【００２４】
ヨーク１は、略円柱状の形状を有するセンターポール１ａと、センターポール１ａの外周壁の下端部から外側に且つ斜め上方に延在するように形成されたフランジ部１ｂと、を有する。マグネット２は、環状の形状を有し、フランジ部１ｂ上に取り付けられている。プレート３は、環状の形状を有し、マグネット３上に取り付けられている。センターポール１ａとプレート３の間にはマグネット２の磁束が集中する磁気ギャップ３２が形成されている。
【００２５】
次に、振動系部材３１の構成は次の通りである。
【００２６】
振動系部材３１には、支持体４、ボイスコイルボビン５、ボイスコイル６、ダンパー７、振動板８、エッジ９、及びキャップ１０が含まれる。
【００２７】
支持体４は、スピーカー装置１００の様々な構成要素を支持するフレームとしての機能を有する。支持体４の下端部は、プレート３上に取り付けられている。なお、支持体４の詳細な構成は後述する。また、本例では、支持体４はスピーカー装置用のフレームとして構成されているが、本発明では、これに限定されず、支持体４は、スピーカー装置用のブラケットや、スピーカーボックスなどであっても構わない。
【００２８】
ボイスコイルボビン５は、円筒状の形状を有し、センターポール１ａの外周壁の上端部を覆う位置に配置されている。
【００２９】
ボイスコイル６は、１対のプラス及びマイナスのリード線（図示略）を有し、ボイスコイルボビン５の外周壁の下端部に巻かれている。このため、ボイスコイル６は、磁気ギャップ３２内に配置されている。ここで、プラス側のリード線はＬ（又はＲ）チャンネル信号の入力配線であり、マイナス側のリード線はグランド（ＧＮＤ：接地）信号の入力配線である。各リード線は、１対のプラス及びマイナスの錦糸線１１、即ちプラスの錦糸線１１ａ及びマイナスの錦糸線１１ｂ（図５を参照）の各一端側に夫々電気的に接続され、また、かかる一対の錦糸線１１の一部は、支持体４に設けられた第１の中継部４ｄ（図２及び図５を参照）及び第２の中継部４ｅ（図２及び図５を参照）により夫々中継され、さらに、当該一対の錦糸線１１の各他端側は、支持体４に設けられたコネクタ端子４ｆ（図２、図３及び図５を参照）に電気的に接続されている。なお、かかるコネクタ端子４ｆは、図示を省略するが、アンプ側の１対のプラス及びマイナスの出力配線に電気的に接続されたコネクタ端子と嵌合して、当該アンプ側と電気的に接続される。これにより、ボイスコイル６には、コネクタ端子４ｆ、一対のプラス及びマイナスの錦糸線１１、及び、一対のプラス及びマイナスのリード線を介して、アンプ側から１チャンネル分の信号及び電力（以下、単に「音声電流」とも称する）が夫々入力される。
【００３０】
ダンパー７は、ボイスコイルボビン５を弾性的に支持する。ダンパー７は、環状の形状を有し、同心円状の複数の波形形状（コルゲーション）を備えて構成される。ダンパー７の内周縁部はボイスコイルボビン５の外周壁の上端部付近に取り付けられている一方、ダンパー７の外周縁部は支持体４の中央部付近に取り付けられている。
【００３１】
振動板８は、コーン状の形状をなし、入力信号に応じた音波を放射する機能を有する。振動板８の内周縁部はボイスコイルボビン５の外周壁の上端部に取り付けられている。
【００３２】
エッジ９は、環状の形状及びΩ状の断面形状を有し、振動板８で生じる不要な振動などを吸収する機能を有する。エッジ９の内周縁部は振動板８の外周縁部に取り付けられる一方、エッジ９の外周縁部は支持体４の上端部に取り付けられている。
【００３３】
キャップ１０は、ドーム形状を有し、スピーカー装置１００の内部に粉塵等の侵入を防止する機能を有する。キャップ１０は、ボイスコイルボビン５の上面側を覆う位置に取り付けられている。
【００３４】
以上の構成を有するスピーカー装置１００では、アンプ側から出力された音声電流は、上述した経路を辿ってボイスコイル６へ入力される。これにより、フレミングの左手の法則に基づき、磁気ギャップ３２内でボイスコイル６に駆動力が発生し、振動板８をスピーカー装置１００の中心を通る中心軸Ｌ１方向へ振動させる。これにより、振動板８を通じて矢印Ｙ１方向に音波が放射される。
【００３５】
（支持体におけるコネクタ端子と錦糸線の接続構造）
まず、図２乃至図４を参照して、支持体４の構成について詳述する。
【００３６】
図２（ａ）は、図１の矢印Ｙ１方向から見た支持体４の背面側の斜視図を示す。図２（ｂ）は、図１の矢印Ｙ１方向と逆方向から見た支持体４の正面図を示す。図３（ａ）は、図２（ａ）の矢印Ｙ３方向から見た支持体４の側面図を示す。図３（ｂ）は、図２（ａ）の矢印Ｙ４方向から見た支持体４の側面図を示す。図４（ａ）は、支持体４に設けられた第２の中継部４ｅのみを拡大した要部拡大斜視図を示す。図４（ｂ）は、図２（ａ）の切断線Ａ−Ａ’に沿った要部断面図であり、特に、第２の中継部４ｅを通る位置で切断した要部断面図を示す。図４（ｃ）は、図２（ａ）の切断線Ｂ−Ｂ’に沿った要部断面図であり、特に、支持体４に設けられた錦糸線短絡防止用リブ４ｇを通る位置で切断した要部断面図を示す。なお、図４では、説明の便宜上、第２の中継部４ｄにおける錦糸線１１の設定位置について図示している。
【００３７】
支持体４は、好適な例では樹脂材料により形成され、楕円状の平面形状を有し、振動板８を取り囲む位置に設けられる外周部４ａと、外周部４ａの内側に設けられ、磁気回路３０等を支持する内周部４ｂと、外周部４ａと内周部４ｂを連結する複数のアーム部４ｃと、を備えている。なお、本例では、支持体４は楕円状の平面形状を有するが、支持体４の平面形状はこれに限定されるものではない。
【００３８】
外周部４ａは、略環状の形状及び枠状の形状を有し、振動板８と連結されたエッジ９の外周部を支持する役割を有する。外周部４ａには、一対のプラス及びマイナスの錦糸線１１の他端側及び前記アンプ側のコネクタ端子と夫々電気的に接続されるコネクタ端子４ｆが設けられている。
【００３９】
内周部４ｂは、略環状の形状を有し、一対のプラス及びマイナスの錦糸線１１を夫々中継する第１の中継部４ｄを有する。本例では、第１の中継部４ｄは複数設けられ、複数の第１の中継部４ｄのうち、一方の第１の中継部４ｄは、一対のプラス及びマイナスの錦糸線１１のうち、プラスの錦糸線１１ａを中継する役割を有すると共に、他方の第１の中継部４ｄは、マイナスの錦糸線１１ｂを中継する役割を有する。
【００４０】
各第１の中継部４ｄは、支持体４において、当該支持体４の中心を通る中心軸Ｌ２を基準としたときに、当該中心軸Ｌ２からコネクタ端子４ｆに向かう矢印Ｙ２方向と異なる方向に設けられている。本例では、各第１の中継部４ｄは、支持体４において、その中心軸Ｌ２を基準としたときに、当該支持体４の短径方向（矢印Ｙ１０方向）に設けられている。一方の第１の中継部４ｆと、他方の第１の中継部４ｆとは、内周部４ｂを挟む位置に且つ互いに対向する位置に設けられている。ここで、各第１の中継部４ｄは、振動板８側及びボイスコイル６側から導出された各錦糸線１１の一部を固定し、当該各錦糸線１１を振動板８と逆側へ且つ第２の中継部４ｅ側へ導出する役割を有する。
【００４１】
各アーム部４ｃは、支持体４の周方向に適宜の間隔をおいて設けられている。複数のアーム部４ｃのうち、第１の中継部４ｄとコネクタ端子４ｆとの間に設けられた各アーム部４ｃには、振動板８と逆側の位置に設けられ、一対のプラス及びマイナスの錦糸線１１を夫々中継する複数の第２の中継部４ｅを有する。各第２の中継部４ｅは、錦糸線１１の直径と略同一の間隔を有し、当該錦糸線１１を挟持する挟持部４ｅａと、一定量の接着剤（図示略）を保持する凹状の接着剤保持部４ｅｂと、を有する錦糸線固定用リブを備える。
【００４２】
また、複数のアーム部４ｃのうち、支持体４の中心軸Ｌ２からコネクタ端子４ｆに向かう矢印Ｙ２方向にもアーム部４ｃ（以下、「アーム部４ｃｘ」と称する）が設けられ、かかるアーム部４ｃｘは、その略中央部に設けられた第２の中継部４ｅと、一対のプラス及びマイナスの錦糸線１１のうち、プラスの錦糸線１１ａと、マイナスの錦糸線１１ｂとを隔離する凸状の錦糸線短絡防止用リブ４ｇと、を有する。錦糸線短絡防止用リブ４ｇは、アーム部４ｃｘの幅方向の略中心を通る位置において、振動板８と逆側に突出するように設けられている。
【００４３】
次に、図４及び図５を参照して、上記した構成を有する支持体４におけるコネクタ端子４ｆと錦糸線１１の接続構造について説明する。
【００４４】
図５（ａ）は、図１の矢印Ｙ１方向から見たスピーカー装置１００の背面図であり、特に、コネクタ端子４ｆと錦糸線１１の接続構造を示す。図５（ｂ）は、図５（ａ）の破線領域Ｅ１に対応するスピーカー装置１００の要部拡大背面図である。
【００４５】
まず、一対のプラス及びマイナスの錦糸線１１の各一端側は、図示を省略するが、ボイスコイル６の一対のプラス及びマイナスのリード線と夫々電気的に接続されている。そして、振動板８側及びボイスコイル６側から導出された一対のプラス及びマイナスの錦糸線１１は、支持体４の短径方向（矢印Ｙ１０方向）に設けられた各第１の中継部４ｄにより中継されて振動板８と逆側の位置に且つ第２の中継部４ｅ側へ一定の張力を以って導出されている。また、その導出された一対のプラス及びマイナスの錦糸線１１は、対応する各第２の中継部４ｅに中継されてコネクタ端子４ｆ側に一定の張力を以って導出され、当該コネクタ端子４ｆに夫々電気的に接続されている。
【００４６】
ここで、各第２の中継部４ｅに位置する錦糸線１１は、挟持部４ｅａにより挟持され、接着剤保持部４ｅｂ内に保持された接着剤（図示略）により固定されている（図４も参照）。つまり、各第２の中継部４ｅに位置する錦糸線１１は、挟持部４ｅａと、接着剤保持部４ｅｂ内に溜められた接着剤とにより重畳的に固定されている。また、支持体４の中心軸Ｌ２からコネクタ端子４ｆに向かう矢印Ｙ２方向に設けられたアーム部４ｃｘにおいて、プラスの錦糸線１１ａと、マイナスの錦糸線１１ｂとは、凸状の錦糸線短絡防止用リブ４ｇにより隔離されている（図４も参照）。
【００４７】
次に、比較例と比較した、本発明の実施例に係る支持体４におけるコネクタ端子４ｆと錦糸線１１の接続構造に関する有利な点について述べる。
【００４８】
まず、図６を参照して、比較例に係る支持体４ｘにおけるコネクタ端子４ｆと錦糸線１１の接続構造について説明する。なお、以下では、本実施例と同一の要素については同一の符号を付し、その説明は省略する。
【００４９】
比較例に係る支持体４ｘは、コネクタ端子４ｆを有し、振動板８を取り囲む位置に配置され、振動板８と連結されたエッジ９の外周部を支持する外周部４ａと、外周部４ａの内側に設けられ、主に磁気回路３０を支持する内周部４ｂと、外周部４ａと内周部４ｂを連結する複数のアーム部４ｃと、を有する。内周部４ｂは、図示しないボイスコイル６側から導出された一対のプラス及びマイナスの錦糸線１１を中継する中継部４ｄｘを有する。  ここで、中継部４ｄｘは、支持体４ｘにおいて、その中心軸Ｌ２を基準としたときに、当該中心軸Ｌ２からコネクタ端子４ｆに向かう矢印Ｙ２方向に設けられている。つまり、コネクタ端子４ｆと中継部４ｄｘとは、当該中心軸Ｌ２を基準としたときに同一の方向に位置している。
【００５０】
そして、一対のプラス及びマイナスの錦糸線１１の一端側は、図示を省略するが、ボイスコイル６の一対のプラス及びマイナスのリード線と夫々電気的に接続されている。また、振動板８側及びボイスコイル６側から導出された一対のプラス及びマイナスの錦糸線１１は中継部４ｄｘにより中継され、その中継された一対のプラス及びマイナスの錦糸線１１の他端側は、コネクタ端子４ｆに夫々電気的に接続されている。
【００５１】
以上の構成を有する比較例では、コネクタ端子４ｆと中継部４ｄｘとは、当該中心軸Ｌ２を基準としたときに同一の方向に位置しているので、錦糸線１１が振動板８側へ撓み易い構造となっており、これにより、比較例では、スピーカー装置５０の駆動時に錦糸線１１と、振動板８等とが接触して、異常音が生じてしまう恐れがある。特に、比較例に係るスピーカー装置が楕円状の平面形状に形成され、図６において矢印Ｙ２方向が当該スピーカー装置の長径方向であるような場合には、後述するように、錦糸線１１と振動板８との距離が近くなり、より一層、そのような不具合が生じる可能性が高くなる。
【００５２】
この点、本発明の実施例に係るスピーカー装置１００は、振動板８及び一対のプラス及びマイナスの錦糸線１１と、一対のプラス及びマイナスの錦糸線１１の各一端側と電気的に接続された一対のプラス及びマイナスのリード線を有するボイスコイル６と、一対のプラス及びマイナスの錦糸線１１の各他端側と電気的に接続されたコネクタ端子４ｆを有し、振動板８等を支持する支持体４と、を備えている。
【００５３】
そして、支持体４は、前記支持体４の中心を通る中心軸Ｌ２を基準としたときに、当該中心軸Ｌ２からコネクタ端子４ｆに向かう矢印Ｙ２方向と異なる方向に設けられ、錦糸線１１を中継する第１の中継部４ｄと、第１の中継部４ｄとコネクタ端子４ｆとの間に且つ振動板８と逆側の位置に設けられ、錦糸線１１を中継する第２の中継部４ｅと、有している。また、ボイスコイル６側から導出された錦糸線１１は、第１の中継部４ｄにより中継されて振動板８と逆側の位置に且つ第２の中継部側４ｅへ導出され、さらに第２の中継部４ｅにより中継されてコネクタ端子４ｆ側へ導出されてなる。好適な例では、一対のプラス及びマイナスの錦糸線１１は、一定の張力を以ってボイスコイル６側から第１の中継部４ｄ及び第２の中継部４ｅを介してコネクタ端子４ｆ側へ導出されている。
【００５４】
これにより、ボイスコイル６側から導出された一対のプラス及びマイナスの錦糸線１１の引き出し方向（支持体４の中心軸Ｌ２から第１の中継部４ｄへ向かう方向）と、コネクタ端子４ｆの方向（支持体４の中心軸Ｌ２からコネクタ端子４ｆへ向かう矢印Ｙ２方向）とが異なる場合においても、振動板８側へ必要以上に撓まない程度の一定の張力を保ちつつ、一対のプラス及びマイナスの錦糸線１１を、第１の中継部４ｄ及び第２の中継部４ｅを通じてコネクタ端子４ｆ側へ案内することが可能となる。よって、スピーカー装置１００の駆動時に、一対のプラス及びマイナスの錦糸線１１と、振動板８等が接触するのを回避でき、異常音が発生するのを防止できる。また、一般的に、錦糸線１１は配線（コード）と比較して安価なので、本実施例の構成によれば、コネクタ端子４ｆと、ボイスコイル６又は錦糸線１１とを配線（コード）を用いて接続する構成に比べて、その分、スピーカー装置１００のコスト削減を図ることができる。
【００５５】
好適な例では、前記支持体４は楕円状の平面形状を有し、第１の中継部４ｄは、当該支持体において、その中心軸Ｌ２を基準としたときに当該支持体４の短径方向（矢印Ｙ１０方向）に設けられているのが好ましい。これにより、ボイスコイル６側からの錦糸線１１の引き出し方向を支持体４の短径方向にすることができる。これにより、一対のプラス及びマイナスの錦糸線１１と、振動板８等との距離を離すことができる。そのため、スピーカー装置１００の駆動時に、より一層、一対のプラス及びマイナスの錦糸線１１と、振動板８等が接触するのを回避でき、異常音が発生するのを防止できる。
【００５６】
この点について、図７を参照して補足説明する。
【００５７】
図７は、スピーカー装置１００の要部断面図を概略的に示すものであり、特に、第１の中継部４ｄを支持体４の長径方向（図５の矢印Ｙ２方向）又は短径方向（図５の矢印Ｙ１０方向）に設けた場合の錦糸線１１と振動板８等の位置関係を示す。図７において、破線で示す振動板８は長径方向に対応しており、また、実線で示す振動板８は短径方向に対応している。
【００５８】
図７に示すように、スピーカー装置１００の中心軸Ｌ１から、その放射方向へのある位置Ｐ１を基準として考えた場合、錦糸線１１と、短径方向に対応する振動板８との距離はｄ５０であるのに対して、当該錦糸線１１と、長径方向に対応する振動板８との距離はｄ５１（＜ｄ５０）である。このことから、後者の振動板８の方が、前者の振動板８の方よりも錦糸線１１との距離が近くなっている構造であることが理解される。そうすると、スピーカー装置１００の駆動時には、後者の振動板８の方が、前者の振動板８の方より錦糸線１１と接触し易くなる。つまり、第１の中継部４ｄを、支持体４の長径方向(矢印Ｙ２方向)ではなく短径方向（矢印Ｙ１０方向）に設定した方が、振動板８と錦糸線１１との距離が離れ、その両者の接触は起こり難くなる。
【００５９】
よって、冒頭で述べたように、好適な例では、第１の中継部４ｄは、支持体において、その中心軸Ｌ２を基準としたときに当該支持体４の短径方向（矢印Ｙ１０方向）に設けられているのが好ましい。これにより、上記した効果が得られる。
【００６０】
また、第２の中継部４ｅは、一対のプラス及びマイナスの錦糸線１１を夫々挟持する挟持部４ｅａと、一定量の接着剤を保持する凹状の接着剤保持部４ｅｂと、を有する錦糸線固定用リブであり、第２の中継部に位置する一対のプラス及びマイナスの錦糸線１１は、挟持部４ｅａにより挟持され、接着剤保持部４ｅｂ内に保持された接着剤（図示略）により固定（補強）されている。つまり、第２の中継部に位置する一対のプラス及びマイナスの錦糸線１１は、第２の中継部４ｅにおいて、狭持部４ｅａと、接着剤保持部４ｅｂ内に保持された一定量の接着剤とにより重畳的に固定されている。そのため、スピーカー装置１００の駆動時等に、特に振動板８側への、一対のプラス及びマイナスの錦糸線１１の移動を規制することができる。
【００６１】
また、前記支持体４の中心軸Ｌ２からコネクタ端子４ｆに向かう矢印Ｙ２方向には、第１の中継部４ｄ側から導出された一対のプラス及びマイナスの錦糸線１１をコネクタ端子４ｆ側へ導出するアーム部４ｃｘが設けられ、当該アーム部４ｃｘは、一対のプラス及びマイナスの錦糸線１１のうち、一方のプラスの錦糸線１１ａと、他方のマイナスの錦糸線１１ｂとを隔離する錦糸線短絡防止用リブ４ｇを有する。ここで、一対のプラス及びマイナスの錦糸線１１の各他端側はコネクタ端子４ｆに接続されるため、アーム部４ｃｘに引き回された一対のプラス及びマイナスの錦糸線１１同士の間隔は近くなる。この点、本実施例では、一方のプラスの錦糸線１１ａと、他方のマイナスの錦糸線１１ｂとを隔離する錦糸線短絡防止用リブ４ｇを有するので、一方のプラスの錦糸線１１ａと、他方のマイナスの錦糸線１１ｂとが錦糸線短絡防止用リブ４ｇにより絶縁されて短絡するのを防止できる。
【００６２】
また、好適な例では、支持体４は樹脂材料により形成されているのが好ましい。これにより、支持体４の形成の自由度を向上させることができる。
【００６３】
[変形例]
上記の実施例では、第１の中継部４ｄは、一対のプラス及びマイナスの錦糸線１１に対応して複数設けられていた。そして、一方の第１の中継部４ｆと、他方の第１の中継部４ｆとは、内周部４ｂを挟む位置に且つ互いに対向する位置に設けられ、一方の第１の中継部４ｆはプラスの錦糸線１１ａを中継する役割を有すると共に、他方の第１の中継部４ｆは、マイナスの錦糸線１１ｂを中継する役割を有していた。これに限らず、本発明では、一方の第１の中継部４ｆ及び他方の第１の中継部４ｆのうち、いずれかの第１の中継部４ｄを１つだけ設け、当該第１の中継部４ｄを通じて、一対のプラス及びマイナスの錦糸線１１の両方を中継するように構成しても構わない。
【００６４】
また、上記の実施例において、支持体４の形状に起因してボイスコイル６からコネクタ端子４ｆまでの距離が長いような場合には、錦糸線１１の引き回し作業がしづらいことも考えられる。そこで、このような場合、本発明では、図１、図８（ａ）、及び図８（ａ）の破線領域Ｅ７０の要部拡大平面図である図８（ｂ）に示すように、各第１の中継部４ｄに中継端子金具４ｄａを設け、ボイスコイル６側から導出された錦糸線１１ｂｘ（又は錦糸線１１ａｘ）を当該中継端子金具４ｄａにて中継し、その錦糸線１１ｂｘとは別の他の錦糸線１１ｂを第２の中継部４ｅを通じてコネクタ端子４ｆ側へ導出するように構成しても構わない。つまり、この場合、プラス側及びマイナス側の夫々で２つの錦糸線｛（錦糸線１１ａ（又は錦糸線１１ｂ）、及び、錦糸線１１ａｘ（又は錦糸線１１ｂｘ））を用意し、その各々の錦糸線１１を中継端子金具４ｄａにて接続及び中継させることで、上記のような課題を解決することができる。
【図面の簡単な説明】
【００６５】
【図１】本発明の実施例に係るコネクタ端子と錦糸線の接続構造を有するスピーカー装置の構成を示す断面図である。
【図２】本発明の実施例に係る支持体の背面側斜視図及び正面図である。
【図３】本発明の実施例に係る支持体の各種側面図である。
【図４】支持体に設けられた第２の中継部の要部斜視図及び要部断面図並びに支持体に設けられた錦糸線短絡防止用リブの要部断面図である。
【図５】本実施例に係るコネクタ端子と錦糸線の接続構造を示すスピーカー装置の要部背面図及び要部背面側斜視図である。
【図６】比較例に係るコネクタ端子と錦糸線の接続構造を示すスピーカー装置の要部背面側斜視図である。
【図７】本実施例に係る支持体における第１の中継部の設定位置について説明するスピーカー装置の要部拡大断面図である。
【図８】変形例に係る支持体の背面図である。
【符号の説明】
【００６６】
４  支持体
４ａ  外周部
４ｂ  内周部
４ｃ、４ｃｘ  アーム部
４ｄ  第１の中継部
４ｅ  第２の中継部
４ｆ  コネクタ端子
４ｇ  錦糸線短絡防止用リブ
６  ボイスコイル
８  振動板
１１  錦糸線
１００  スピーカー装置
【図１】
2008042366.tif 000003
【図２】
2008042366.tif 000004
【図３】
2008042366.tif 000005
【図４】
2008042366.tif 000006
【図５】
2008042366.tif 000007
【図６】
2008042366.tif 000008
【図７】
2008042366.tif 000009
【図８】
2008042366.tif 000010